(57)【特許請求の範囲】
【請求項１】
熱媒を通す熱媒流通管が配設された温水マットと、固定用部材により床に固定される固定部として機能する小根太と、前記温水マットの上面に配設された、前記熱媒流通管を通る熱媒からの熱を均一に伝えるための均熱材とを備え、上面側に床仕上げ材を接合した状態で使用される床暖房パネルの施工方法であって、
前記温水マットと、前記小根太と、前記均熱材とを備えた床暖房パネル本体を、前記小根太を介して固定用部材により床に固定する工程と、
前記均熱材の表面の、前記小根太が配設された領域を含む領域であって、かつ、床仕上げ材を床暖房パネルに接合させるための接着剤が塗布される領域に、接着剤が塗布される側の表面が剥離性を備えた表面材を配設する工程と、
前記表面材上に接着剤を塗布する工程と、
前記接着剤を介して床仕上げ材を接合する工程と
を具備し、
前記表面材として、前記床暖房パネル本体に接合される面に接合用接着剤が塗布され、該接合用接着剤が塗布された面の端部を除いた領域に剥離紙が貼り付けられたものを用い、前記剥離紙が貼り付けられていない、接合用接着剤の露出した部分を、前記均熱材の表面の、前記小根太が配設された領域を含む領域の近傍に、前記小根太の長手方向に沿って貼り付けておき、前記小根太を介して前記固定用部材により前記床暖房パネル本体を床に固定した後に、前記剥離紙を剥がし、前記接合用接着剤が露出した領域を前記床暖房パネル本体に貼り付けることにより、前記表面材の前記床暖房パネル本体への配設を行うように構成されていることを特徴とする床暖房パネルの施工方法。
【請求項２】
前記表面材として、透明性を有する樹脂フィルムを用いることを特徴とする請求項１記載の床暖房パネルの施工方法。
【発明の詳細な説明】
【技術分野】
【０００１】
本願発明は、床暖房パネルの施工方法に関し、詳しくは、床暖房パネル上に貼り付け施工された床仕上げ材の貼り替えに、効率よく対応することができるように構成された床暖房パネルの施工方法に関する。
【背景技術】
【０００２】
近年、床暖房パネルが広く利用されるに至っている。この床暖房パネルには、例えば、図１３に示すように、発泡樹脂製の温水マット本体５１の一方面側に熱媒流通管５２を通すための配管溝５３を形成し、この配管溝５３に熱媒流通管５２を埋設し、その表面を、熱媒流通管５２を通る熱媒からの熱を均一に伝えるための均熱材（例えば、アルミニウム箔などからなる放熱シート）５４で被覆した構造のものがある。
【０００３】
そして、このような床暖房パネル５５を据え付け施工するにあたっては、図１４に示すように、床暖房パネル５５を据え付けるべき床の所定の領域に床暖房パネル５５を敷設した後、その上に、例えば、フローリング材などの床仕上げ材５６を接着剤５７を用いて貼り付けることによりその施工を行っている。
【０００４】
ところで、上述のような方法でフローリング材などの床仕上げ材５６の施工を行った後、床仕上げ材５６を取り替える必要が生じた場合（例えば、長期間の使用により床仕上げ材５６が損傷した場合や家の改装を行う場合など）、床暖房パネル５５から、床仕上げ材５６を剥がすことが必要になる。
【０００５】
しかしながら、その場合、床仕上げ材５６が必ずしも、均熱材５４との界面で剥がれず、均熱材５４が部分的に温水マット本体５１から剥離して均熱材５４が損傷したり、場合によっては、温水マット本体５１の一部が均熱材５４ごと床仕上げ材５６に同伴して、温水マット本体５１まで損傷してしまうというような問題点がある。
【０００６】
そこでこのような問題点を解決するために、
(１)図１５に示すように、均熱材５４の表面に合成樹脂層（ポリエチレンテレフタレート等）６１を貼り付け、その上に、両面テープ６２を介して床仕上げ材５６を貼り付ける方法（特許文献１参照）、
(２)また、図１６に示すように、温水マット本体５１と小根太５０と均熱材５４を備えた床暖房パネル５５の、均熱材５４の表面に合成樹脂層（ポリエチレンテレフタレート等）６１を貼り付け、その上に、伝熱用の金属層７１と、合成樹脂層（ポリエチレンテレフタレート等）７２を配設し、その上から両面テープ６２を介して、床仕上げ材５６を貼り付ける方法（特許文献２参照）、
(３)さらに、図１７に示すように、温水マット本体５１上に配設された均熱材５４の表面に、均熱材５４と床仕上げ材５６との間の剥離性を向上させるためのコーティング材８１をコーティングし、その上から両面テープ６２を介して、床仕上げ材５６を貼り付ける方法（特許文献３参照）
などが提案されている。
【０００７】
しかし、上記(１)の特許文献１の方法の場合には、床仕上げ材５６を取り替える際に、合成樹脂層６１と両面テープ６２の界面で剥離するため、床仕上げ材５６を取り替える際に、温水マット本体５１や均熱材５４を損傷することなく、床仕上げ材５６を交替することが可能になるが、両面テープ６２を用いることを必須の要件とするものであり、施工性に優れた接着剤を用いる方法には適用できないという問題点がある。すなわち、床仕上げ材５６を接着剤を用いて施工するようにした場合には、床仕上げ材５６が、接着剤を介して合成樹脂層６１に強固に接着されるため、床仕上げ材５６のみを剥がして取り替えることができなくなるという問題点がある。
【０００８】
また、上記(２)の特許文献２の方法の場合にも、床仕上げ材５６を取り替える際に、金属層７１上に配設された合成樹脂層（ポリエチレンテレフタレート等）７２と両面テープ６２の界面で剥離するため、床仕上げ材５６を取り替える際に、温水マット本体５１や均熱材５４、金属層７１などを損傷することなく、床仕上げ材５６を取り替えることが可能になるが、床仕上げ材５６と、床暖房パネル５５との間に、均熱材５４、合成樹脂層６１、金属層７１、合成樹脂層７２、両面テープ６２などの多くの層を備えた構成であることから、構造が複雑になり、製造コストが増大するという問題点がある。また、床仕上げ材５６を接着剤を用いて施工するようにした場合には、床仕上げ材５６が、接着剤を介して合成樹脂層７２に強固に接着されるため、床仕上げ材５６のみを剥がして取り替えることができなくなるという問題点がある。
【０００９】
また、上記(３)の特許文献３の方法の場合、温水マット本体５１上に配設された均熱材５４の表面に、均熱材５４と床仕上げ材５６との間の剥離性を向上させるためのコーティング材８１をコーティングし、その上から両面テープ６２を介して、床仕上げ材５６を接合するようにしているので、両面テープ６２を用いることが必須の要件となり、施工性に優れた接着剤を用いる方法に適用できないのが実情である。床仕上げ材５６を接着剤を用いて施工するようにした場合には、床仕上げ材５６とコーティング材８１とが強固に接着されるため、床仕上げ材５６のみを剥がして取り替えることができなくなるという問題点がある。
【特許文献１】特開平１１−２６４５５７号公報
【特許文献２】特開２０００−１９９３３２号公報
【特許文献３】特開２００２−２４２４１４号公報
【発明の開示】
【発明が解決しようとする課題】
【００１０】
本願発明は、上記課題を解決するものであり、床暖房パネルを損傷することなく床仕上げ材を剥がすことが可能で、効率よく床仕上げ材を貼り替えることが可能な床暖房パネルの施工方法を提供することを目的とする。
【課題を解決するための手段】
【００１１】
上記課題を解決するために、本願発明（請求項１）の床暖房パネルの施工方法は、
熱媒を通す熱媒流通管が配設された温水マットと、固定用部材により床に固定される固定部として機能する小根太と、前記温水マットの上面に配設された、前記熱媒流通管を通る熱媒からの熱を均一に伝えるための均熱材とを備え、上面側に床仕上げ材を接合した状態で使用される床暖房パネルの施工方法であって、
前記温水マットと、前記小根太と、前記均熱材とを備えた床暖房パネル本体を、前記小根太を介して固定用部材により床に固定する工程と、
前記均熱材の表面の、前記小根太が配設された領域を含む領域であって、かつ、床仕上げ材を床暖房パネルに接合させるための接着剤が塗布される領域に、接着剤が塗布される側の表面が剥離性を備えた表面材を配設する工程と、
前記表面材上に接着剤を塗布する工程と、
前記接着剤を介して床仕上げ材を接合する工程と
を具備し、
前記表面材として、前記床暖房パネル本体に接合される面に接合用接着剤が塗布され、該接合用接着剤が塗布された面の端部を除いた領域に剥離紙が貼り付けられたものを用い、前記剥離紙が貼り付けられていない、接合用接着剤の露出した部分を、前記均熱材の表面の、前記小根太が配設された領域を含む領域の近傍に、前記小根太の長手方向に沿って貼り付けておき、前記小根太を介して前記固定用部材により前記床暖房パネル本体を床に固定した後に、前記剥離紙を剥がし、前記接合用接着剤が露出した領域を前記床暖房パネル本体に貼り付けることにより、前記表面材の前記床暖房パネル本体への配設を行うように構成されていることを特徴としている。
【００１２】
また、請求項２の床暖房パネルの施工方法は、請求項１の発明の構成において、前記表面材として、透明性を有する樹脂フィルムを用いることを特徴としている。
【発明の効果】
【００１３】
本願発明（請求項１）の床暖房パネルの施工方法は、温水マットと、小根太と、均熱材とを備えた床暖房パネル本体を、小根太を介して固定用部材により床に固定する工程と、均熱材の表面の、小根太が配設された領域を含む領域であって、かつ、床仕上げ材を床暖房パネルに接合させるための接着剤が塗布される領域に、接着剤が塗布される側の表面が剥離性を備えた表面材を配設する工程と、表面材上に接着剤を塗布する工程と、接着剤を介して床仕上げ材を接合する工程とを備えているので、施工時には、接着剤を用いて、床仕上げ材を効率よく床暖房パネルに貼り付けることが可能であるとともに、床仕上げ材を取り替える際には、床暖房パネルを損傷することなく、床仕上げ材と表面材との界面で床仕上げ材を確実に剥がすことが可能になり、床仕上げ材の貼り替えを、容易かつ確実に行うことが可能になる。
【００１４】
また、表面材として、床暖房パネル本体に接合される面に接合用接着剤が塗布され、該接合用接着剤が塗布された面の端部を除いた領域に剥離紙が貼り付けられたものを用い、この表面材を、剥離紙が貼り付けられていない、接合用接着剤の露出した部分を、均熱材の表面の、小根太が配設された領域を含む領域の近傍に、小根太の長手方向に沿って貼り付けておき（すなわち、仮固定しておき）、小根太を介して固定用部材により床暖房パネル本体を床に固定した後に、剥離紙を剥がして接合用接着剤を露出させた領域を床暖房パネル本体に貼り付けることにより、表面材の床暖房パネル本体への配設を行うようにしているので、施工現場で表面材の配設位置を確認したりする作業を不要にして、表面材の床暖房パネル本体への配設を容易に行うことが可能になり、施工作業の効率化を図ることが可能になる。
なお、床仕上げ材は、接着剤を介して効率よく、しかも確実に表面材に接合される。
【００１５】
また、表面材の、該接合用接着剤が塗布された面の端部の、剥離紙が貼り付けられていない、接合用接着剤の露出した部分を、小根太が配設された領域を含む領域またはその近傍に貼り付ける作業は、床暖房パネルの製造工程で容易に行うことが可能である。
【００１６】
また、請求項２の床暖房パネルの施工方法のように、請求項１の発明の構成において、前記表面材として、前記温水マット上に配設された前記均熱材の表面に付与した表示が目視できるような透明性を有する樹脂フィルムを用いるようにした場合、例えば、均熱材の表面に設けられた表示や、固定用部材の施工箇所（固定用部材が釘である場合の釘打ち箇所）などを確実に目視、確認することができるようになり、本願発明をさらに実効あらしめることが可能になる。
【発明を実施するための最良の形態】
【００１７】
以下に本願発明の実施例を示して、本願発明の特徴とするところをさらに詳しく説明する。
【実施例１】
【００１８】
図１は、本願が関連する発明の一実施例（実施例１）にかかる床暖房パネルの要部構成を示す正面断面図であり、図２は該床暖房パネルの構成を説明する平面図である。
【００１９】
この実施例１の床暖房パネルは、図１に示すように、溝１１に、熱媒を通す熱媒流通管１２が配設された、発泡ポリスチレンからなる温水マット１と、固定用部材（この実施例１ではビス）２により床１５に固定される固定部として機能する小根太３と、温水マット１の上面に配設された、熱媒流通管１２を通る熱媒からの熱を均一に伝えるためのアルミ箔などの金属材料からなる均熱材４と、均熱材４の表面の、小根太３が配設された領域を含む領域Ｒに、接着剤７が塗布される接着剤塗布面（上面）６ａが剥離性を有する表面材６とを備え、上面側に床仕上げ材１０を接合した状態で使用される床暖房パネル２０である。
【００２０】
そして、この床暖房パネル２０は、温水マット１と、小根太３と、均熱材４とを備えた床暖房パネル本体５を、小根太３を介して固定用部材２により床１５に固定した後に、均熱材４の表面の、小根太３が配設された領域を含む領域Ｒに、接着剤塗布面（上面）６ａが剥離性を有する表面材６を配設し、その表面に接着剤７を付与した後、床仕上げ材１０を、接着剤７を介して床暖房パネル２０（床暖房パネル本体５）に接合することにより施工され、使用されるように構成されている。
【００２１】
また、この実施例１の床暖房パネル２０においては、温水マット１上に配設された均熱材４の表面に、固定用部材（ビス）２を打ち込む位置を示す表示９ａ（図２）および固定用部材（ビス）２を打ち込んではいけない位置を示す表示９ｂ（図２）が配設されている。
そして、表面材６を貼り付けた後でも、固定用部材（ビス）２を打ち込んだ位置（すなわちビス２を打ち込む位置を示す表示９ａおよびそこに打ち込んだビス２）や、固定用部材（ビス）２を打ち込んではいけない位置を示す表示９ｂの位置などを目視することができるように、表面材６を構成する材料として、透明性を有する樹脂フィルムが用いられている。
【００２２】
さらに、この実施例１の床暖房パネル２０では、表面材６として、床暖房パネル本体５に接合される面（この実施例１では下面）６ｂに接合用接着剤８が塗布されたテープ状の表面材６が用いられており、施工現場で、小根太３を介して固定用部材２により床暖房パネル本体５を床１５に固定した後に、表面材６を接合用接着剤８を介して床暖房パネル本体５に容易に貼り付けることができるように構成されている。
【００２３】
なお、図２は、この実施例１の床暖房パネルの構成を説明する平面図であって、床暖房パネル２０の構成、床暖房パネル本体５に固定用部材（ビス）２を打ち付けた状態、床暖房パネル本体５にテープ状の表面材６'（６）を貼り付けている状態、および、表面材６を貼り付けた状態および、さらには、床仕上げ材１０を貼り付けた状態を示す図であり、表面材６は、図２に示すように、小根太３の長手方向に沿って、小根太３が配設された領域を含む領域Ｒに貼り付けられるように構成されている。
【００２４】
次に、この床暖房パネルの施工方法を図１〜７を参照しつつ説明する。
【００２５】
(１)まず、温水マット１、小根太３、均熱材４を備えた床暖房パネル本体５と、表面材６，固定用部材（この実施例１ではビス）２などが同梱された床暖房パネル２０の梱包ユニットから床暖房パネル本体５を取り出し、図３に示すように、小根太３を介して固定用部材２により床１５に固定する。
【００２６】
(２)それから、図４に示すように、表面（接着剤塗布面）６ａが剥離性を有する表面材６を、固定用部材２を覆うように床暖房パネル本体５の均熱材４上に接合、配設する。
【００２７】
(３)次に、図５に示すように、表面材６の表面の、小根太３が配設された領域を含む領域Ｒに、床仕上げ材１０を床暖房パネル２０に接合させるための接着剤７を塗布する。
【００２８】
(４)それから、図６に示すように、接着剤７を介して床仕上げ材１０を接合する。
これにより床暖房パネル２０の据え付け施工が終了する。
【００２９】
また、上述のようにして床暖房パネル２０の据え付け施工をした後に、床仕上げ材１０を取り替える必要が生じた場合、床仕上げ材１０を床暖房パネル２０上から剥離した後、別の床仕上げ材を貼り付けることになるが、表面材６として、表面（接着剤塗布面）６ａが剥離性を有するものを使用していることから、図７に示すように、接着剤７の下面と、表面材６の剥離性を有する表面６ａの界面で、床仕上げ材１０が剥離される。
その結果、表面材６、均熱材４、温水マット１などを損傷することなく床仕上げ材１０を床暖房パネル２０から剥離させることが可能になる。
【００３０】
そして、床仕上げ材１０が取り除かれた床暖房パネル２０の、表面材６上に、図８に示すように、新しく接着剤７ａを塗布し、図９に示すように、接着剤７ａを介して新しい床仕上げ材１０ａを床暖房パネル２０上に接合することにより、均熱材４や表面材６などの貼り替えなどを行ったりすることなく、効率よくしかも確実に古い床仕上げ材１０から新しい床仕上げ材１０ａへの貼り替えを行うことができる。
【実施例２】
【００３１】
図１０は本願発明の実施例（実施例２）にかかる床暖房パネルの施工方法の一工程を示す平面図、図１１(ａ)，(ｂ)はこの実施例２の床暖房パネルの施工方法を示す図であり、(ａ)は表面材の剥離紙を剥がす前の状態、(ｂ)は剥離紙を剥がしている状態を示す断面図である。
【００３２】
この実施例２では、図１０および図１１(ａ)，(ｂ)に示すように、表面材６として、床暖房パネル本体５に接合される面（図１２における下面）に接合用接着剤８が塗布され、該接合用接着剤８が塗布された面の端部を除いた領域に剥離紙１３が貼り付けられたものが用いられている。
【００３３】
そして、この表面材６は、剥離紙１３が貼り付けられていない、接合用接着剤８の露出した部分が、均熱材４の表面の、小根太３が配設された領域を含む領域Ｒの近傍に、小根太３の長手方向に沿って貼り付けられている。
【００３４】
このように構成された床暖房パネルを施工するにあたっては、図１１(ａ)に示すように、表面材６の端部が接合用接着剤８を介して均熱材４に接合された状態で、剥離紙１３が配設された領域をめくり上げ、温水マット１と、小根太３と、均熱材４とを備えた床暖房パネル本体５を、小根太３を介して固定用部材２により床１５に固定した後、図１１(ｂ)に示すように、剥離紙１３を剥がして、接合用接着剤８を露出させた領域を床暖房パネル本体５に貼り付ける（図１２参照）ことにより、床暖房パネル本体５を構成する均熱材４の表面の、小根太３が配設された領域を含む領域Ｒへの、表面材６の配設を行う。
【００３５】
その後は、上記実施例１の場合と同様にして、表面材６の表面の、小根太３が配設された領域を含む領域Ｒに、床仕上げ材１０を床暖房パネル２０に接合させるための接着剤７を塗布する（図５参照）。
【００３６】
それから、接着剤７を介して床仕上げ材１０を接合する（図６参照）ことにより、床暖房パネル２０の据え付け施工が完了する。
【００３７】
この実施例２の方法の場合にも、床暖房パネル２０の据え付け施工後に、床仕上げ材１０を取り替える必要が生じた場合、床仕上げ材１０を床暖房パネル２０上から剥離させる際に、表面材６として、表面（接着剤塗布面）６ａが剥離性を有するものを使用していることから、図７に示すように、接着剤７の下面と、表面材６の剥離性を有する表面（接着剤塗布面）６ａの界面で、床仕上げ材１０が剥離される。
その結果、表面材６、均熱材４、温水マット１などを損傷することなく床仕上げ材１０を剥離させることが可能になる。
【００３８】
その後、床仕上げ材１０が取り除かれた床暖房パネル２０の、表面材６上に、図８に示すように、新しく接着剤７ａを塗布し、図９に示すように、接着剤７ａを介して新しい床仕上げ材１０ａを床暖房パネル２０上に接合することにより、均熱材４や表面材６などの貼り替えなどを行ったりすることなく、効率よくしかも確実に床仕上げ材の貼り替えを行うことができる。
【００３９】
なお、小根太３が配設された領域を含む領域Ｒまたはその近傍に仮固定された表面材６の仮固定の解除は、通常は、小根太３を介して固定用部材２により床暖房パネル本体５を床１５に固定する前の段階で行うことが好ましいが、小根太３を介して固定用部材２により床暖房パネル本体５を床１５に固定する際の作業に、仮固定された状態の表面材６が支障とならないのであれば、固定用部材２により床暖房パネル本体５を床１５に固定する際の作業の後に仮固定の解除を行うことも可能である。
【００４０】
なお、本願発明は、上記実施例１および２に限定されるものではなく、温水マットの具体的な構成、小根太の構造や配設位置、均熱材の形状や構成材料、表面材の構成材料、表面材と床仕上げ材を接合するための接着剤の種類、床仕上げ材の具体的な構成などに関し、発明の範囲内において、種々の応用、変形を加えることが可能である。
【産業上の利用可能性】
【００４１】
本願発明の床暖房パネルの施工方法によれば、接着剤を用いて床暖房パネルの上に貼り付けられた床仕上げ材を取り替える必要が生じた場合に、床暖房パネルを損傷することなく床仕上げ材を剥がすことが可能で、効率よく床仕上げ材を貼り替えることが可能になる。
したがって、本願発明は、床暖房パネルの製造技術や、床暖房パネルの施工技術の分野に広く適用することが可能である。
【図面の簡単な説明】
【００４２】
【図１】本願発明が関連する発明の一実施例（実施例１）にかかる床暖房パネルの要部構成を示す正面断面図である。
【図２】実施例１にかかる床暖房パネルの構成を説明する平面図である。
【図３】実施例１にかかる床暖房パネルの施工方法を示す図であり、固定用部材により温水マット本体を床に固定した状態を示す図である。
【図４】実施例１にかかる床暖房パネルの施工方法を示す図であり、表面材を均熱材の表面に接合した状態を示す図である。
【図５】実施例１にかかる床暖房パネルの施工方法を示す図であり、表面材上に接着剤を配設した状態を示す図である。
【図６】実施例１にかかる床暖房パネルの施工方法を示す図であり、表面材上の接着剤を介して床仕上げ材を床暖房パネル上に接合した状態を示す図である。
【図７】実施例１にかかる方法により床暖房パネルを施工した後、床仕上げ材を剥がした状態を示す図である。
【図８】床仕上げ材を剥がした後の、表面材上に新しい接着剤を配設した状態を示す図である。
【図９】表面材上に新しい接着剤を介して、新しい床仕上げ材を接合した状態を示す図である。
【図１０】本願発明の実施例（実施例２）にかかる床暖房パネルの施工方法の一工程を示す平面図である。
【図１１】(ａ)，(ｂ)は本願発明の実施例（実施例２）にかかる床暖房パネルの施工方法を示す図であり、(ａ)は表面材の剥離紙を剥がす前の状態、(ｂ)は剥離紙を剥がしている状態を示す断面図である。
【図１２】本願発明の実施例（実施例２）にかかる床暖房パネルの施工方法を示す図であり、表面材を均熱材の表面に接合した状態を示す図である。
【図１３】従来の床暖房パネルの構成を示す断面図である。
【図１４】従来の床暖房パネル上に床仕上げ材を接合した状態を示す断面図である。
【図１５】従来の他の床暖房パネルの構成を示す断面図である。
【図１６】従来のさらに他の床暖房パネルの構成を示す断面図である。
【図１７】従来のさらに他の床暖房パネルの構成を示す断面図である。
【符号の説明】
【００４３】
１        温水マット
２        固定用部材
３        小根太
４        均熱材
５        床暖房パネル本体
６        表面材
６’      テープ状の表面剤
６ａ      接着剤塗布面（上面）
６ｂ      床暖房パネル本体に接合される面
７，７ａ  接着剤
８        接合用接着剤
９ａ      固定用部材を打ち込む位置を示す表示
９ｂ      固定用部材を打ち込んではいけない位置を示す表示
１０      床仕上げ材
１０ａ    新しい床仕上げ材
１１      溝
１２      熱媒流通管
１３      剥離紙
１５      床
２０      床暖房パネル
Ｒ        均熱材の表面の、小根太が配設された領域を含む領域
【図１】
0004777754.tif 000002
【図２】
0004777754.tif 000003
【図３】
0004777754.tif 000004
【図４】
0004777754.tif 000005
【図５】
0004777754.tif 000006
【図６】
0004777754.tif 000007
【図７】
0004777754.tif 000008
【図８】
0004777754.tif 000009
【図９】
0004777754.tif 000010
【図１０】
0004777754.tif 000011
【図１１】
0004777754.tif 000012
【図１２】
0004777754.tif 000013
【図１３】
0004777754.tif 000014
【図１４】
0004777754.tif 000015
【図１５】
0004777754.tif 000016
【図１６】
0004777754.tif 000017
【図１７】
0004777754.tif 000018